(57)【要約】    【課題】  こんろ上の炊事具の有無を検出できない。    【構成】  支持パイプ３の縦の部分の外周に円筒１７を上下動自在に設け、該円筒１７の上部には、サーミスター５が取付けられ炊事具２の底面に当接する帽体４を固定し、前記円筒１７はコイルバネ３２により常時上動するように付勢し、前記サーミスター５に接続したサーミスター用リード線３０は前記支持パイプ３内に移動自在に挿入し、該支持パイプ３には、前記帽体４の上下に伴うサーミスター用リード線３０の移動を検出する検出装置Ｌを設けた炊事具の温度検出装置。【選択図】    図１
2006034783.tif 000002
【特許請求の範囲】
【請求項１】
支持パイプ３の縦の部分の外周に円筒１７を上下動自在に設け、該円筒１７の上部には、サーミスター５が取付けられ炊事具２の底面に当接する帽体４を固定し、前記円筒１７はコイルバネ３２により常時上動するように付勢し、前記サーミスター５に接続したサーミスター用リード線３０は前記支持パイプ３内に移動自在に挿入し、該支持パイプ３には、前記帽体４の上下に伴うサーミスター用リード線３０の移動を検出する検出装置Ｌを設けた炊事具の温度検出装置。
【請求項２】
請求項１において、前記検出装置Ｌは、前記支持パイプ３内面と前記サーミスター用リード線３０の外周の何れか一方に感知スイッチ３７を設け、前記支持パイプ３内面と前記サーミスター用リード線３０の外周の何れか他方に前記感知スイッチ３７に接離する当接部３８を設けて構成した炊事具の温度検出装置。
【請求項３】
請求項１において、前記検出装置Ｌは、サーミスター用リード線３０の所望位置に磁力を感知してオン・オフするリードスイッチ４０を設け、前記支持パイプ３の外周に磁界４１を形成する磁石４２を設けて構成した炊事具の温度検出装置。
【請求項４】
請求項１において、前記検出装置Ｌは、前記支持パイプ３の外周に磁界４１を形成する磁石４２を設け、該支持パイプ３の所望位置に磁力を感知してオン・オフするリードスイッチ４０を設け、前記サーミスター用リード線３０の所定位置には前記磁石４２の磁力を遮断する遮蔽部材５０を設け、該遮蔽部材５０をサーミスター用リード線３０の移動により移動させて前記リードスイッチ４０をオン・オフさせるように構成した炊事具の温度検出装置。
【請求項５】
請求項３または請求項４において、前記磁石４２はそのＳ極とＮ極がサーミスター用リード線３０の移動方向に対して交差方向の一方側に位置するように支持パイプ３の外周に設け、前記リードスイッチ４０または遮蔽部材５０は前記磁石４２により生じる磁界４１のうち一つの磁界４１を出入りするように相対的に位置させた炊事具の温度検出装置。
【請求項６】
請求項１または請求項２または請求項３または請求項４または請求項５において、前記検出装置Ｌは、前記帽体４を取付けた縦筒部４５と、該縦筒部４５に続く横筒部４６により側面視Ｌ型形状に形成した支持パイプ３の横筒部４６に設けた炊事具の温度検出装置。
【発明の詳細な説明】
【技術分野】
【０００１】
本発明は、炊事具の温度検出装置に関するものである。
【背景技術】
【０００２】
従来、調理器の底面に当接する帽体を上下動自在に設け、帽体はコイルバネにより常時上動するように付勢し、帽体にサーミスターを設けた構成は公知である（特許文献１参照）。
また、支持パイプの縦の部分の外周に円筒を上下動自在に設け、該円筒の上部には、サーミスターが取付けられ炊事具の底面に当接する帽体を固定し、前記円筒はコイルバネにより常時上動するように付勢し、前記サーミスターに接続したサーミスター用リード線は前記支持パイプ内に移動自在に挿入した構成も公知である（特許文献２参照）。
【特許文献１】特開２０００−５１６７号公報
【特許文献２】特開平５−１２３２４９号公報
【発明の開示】
【発明が解決しようとする課題】
【０００３】
前記公知例は、何れもサーミスターにより炊事具の異常過熱を検知することはできるが、コンロ・炊飯器等の器具に炊事具がセットされたかの有無を検知することができないという課題がある。
本願は、簡単な構成で、炊事具の有無を検知できる炊事具の温度検出装置を提供するものである。
【課題を解決するための手段】
【０００４】
本発明は、支持パイプ３の縦の部分の外周に円筒１７を上下動自在に設け、該円筒１７の上部には、サーミスター５が取付けられ炊事具２の底面に当接する帽体４を固定し、前記円筒１７はコイルバネ３２により常時上動するように付勢し、前記サーミスター５に接続したサーミスター用リード線３０は前記支持パイプ３内に移動自在に挿入し、該支持パイプ３には、前記帽体４の上下に伴うサーミスター用リード線３０の移動を検出する検出装置Ｌを設けた炊事具の温度検出装置としたものである。
本発明は、前記検出装置Ｌは、前記支持パイプ３内面と前記サーミスター用リード線３０の外周の何れか一方に感知スイッチ３７を設け、前記支持パイプ３内面と前記サーミスター用リード線３０の外周の何れか他方に前記感知スイッチ３７に接離する当接部３８を設けて構成した炊事具の温度検出装置としたものである。
本発明は、前記検出装置Ｌは、サーミスター用リード線３０の所望位置に磁力を感知してオン・オフするリードスイッチ４０を設け、前記支持パイプ３の外周に磁界４１を形成する磁石４２を設けて構成した炊事具の温度検出装置としたものである。
本発明は、前記検出装置Ｌは、前記支持パイプ３の外周に磁界４１を形成する磁石４２を設け、該支持パイプ３の所望位置に磁力を感知してオン・オフするリードスイッチ４０を設け、前記サーミスター用リード線３０の所定位置には前記磁石４２の磁力を遮断する遮蔽部材５０を設け、該遮蔽部材５０をサーミスター用リード線３０の移動により移動させて前記リードスイッチ４０をオン・オフさせるように構成した炊事具の温度検出装置としたものである。
本発明は、前記磁石４２はそのＳ極とＮ極がサーミスター用リード線３０の移動方向に対して交差方向の一方側に位置するように支持パイプ３の外周に設け、前記リードスイッチ４０または遮蔽部材５０は前記磁石４２により生じる磁界４１のうち一つの磁界４１を出入りするように相対的に位置させた炊事具の温度検出装置としたものである。
本発明は、前記検出装置Ｌは、前記帽体４を取付けた縦筒部４５と、該縦筒部４５に続く横筒部４６により側面視Ｌ型形状に形成した支持パイプ３の横筒部４６に設けた炊事具の温度検出装置としたものである。
【発明の効果】
【０００５】
請求項１の発明では、帽体４の上下により炊事具２の有無を検知でき、簡素な構成とし、部品点数が少なく、コストを低くできる。
請求項２の発明では、帽体４の上下をサーミスター用リード線３０の移動により検知するので、支持パイプ３内に感知スイッチ３７と当接部３８を設けることができ、煮こぼれや熱から回避できる。
請求項３の発明では、リードスイッチ４０は磁力を感知してオン・オフするので、非接触式のスイッチを利用でき、耐久性を向上させる。
請求項４の発明では、リードスイッチ４０のオン・オフを遮蔽部材５０によりできるので、位置決めが容易であり、一層誤作動を防止でき、制御精度を向上させる。
請求項５の発明では、リードスイッチ４０は支持パイプ３内に設けているので煮こぼれや熱から回避でき、リードスイッチ４０に比し劣化・破損の少ない磁石４２は支持パイプ３の外周に設けたので、耐久性および作動の確実性において合理的な構成にでき、また、リードスイッチ４０は磁石４２の一つの磁界４１を出入りするので、位置決めが容易であり、一層誤作動を防止でき、制御精度を向上させる。
請求項６の発明では、コンロ・炊飯器等の過熱部（図示省略）より検出装置Ｌを遠ざけることができ、一層、一層誤作動を防止でき、制御精度を向上させる。
【実施例１】
【０００６】
本発明の一実施例を図面により説明すると、１はコンロ・炊飯器等に使用する鍋等の炊事具２の温度検出装置であり、支持パイプ３の上部に帽体４を上下自在に設け、前記帽体４内に温度を検出するサーミスター５を設けて構成する。
前記温度検出装置１は、前記支持パイプ３に対してサーミスター５を有する帽体４が上下自在であればよく、以下、一例を示す。前記支持パイプ３は、支持パイプ用平板６の下端側にワッシャー取付用凸部７を押圧形成し、上端側には鍔取付用の突起８を三か所程等間隔をおいて形成し、この支持パイプ用平板６をプレス加工によりＣ型に曲げられて端面を接合し、支持パイプ３を形成する。
【０００７】
前記支持パイプ３の上端には鍔１０が固定される。鍔１０は円形であり、前記突起８が係合する溝１１と、支持パイプ３の外周に当接する当接部１２を有する。鍔１０は厚みのある金属板をプレスして形成または引き抜き後切断して形成する。１３は鍔１０に形成した支持パイプ３と同径の透孔、１４は鍔１０の外周に形成した回り止め溝である。
【０００８】
しかして、前記鍔１０と支持パイプ３の外周には前記帽体４を取付けた円筒１７を上下動自在に挿通する。円筒１７は金属薄板で形成され、下端は細く絞られ小径部１８を形成し、円筒１７の上端は外方の略水平方向に折り曲げられて折曲部１９を形成している。
円筒１７の外周には、前記回り止め溝１４が係合して回り止めになる突条２０を円筒１７の母線方向に長く形成する。
【０００９】
前記折曲部１９には帽体４を上方から被せて取付ける。帽体４は天板２２の周縁に下方に突き出るように下向き円筒状に周縁部２３を形成し、周縁部２３は内側に折り曲げて折曲部１９の下面に係合させる。周縁部２３は折曲部１９の下面に対して隙間なく折り曲げられ、煮汁が円筒１７内に入らないようにする。
【００１０】
この場合、前記帽体４の周縁部２３は、前記円筒１７の上端折曲部１９の下面側を包囲しうる範囲で可及的に短く形成すればよく、帽体４の深さを可及的に浅くして、後述するサーミスター５の取り付けを容易にしている。
帽体４は中央部を上方に膨出させて山高部２５を形成し、山高部２５を炊事具２の下面に当接させる。山高部２５の内面側にサーミスター５を収納固定する。サーミスター５は、縦壺２６内に収納して熱硬化性樹脂２７により固着する。
【００１１】
サーミスター５にはサーミスター用リード線３０の先端を接続し、サーミスター用リード線３０は円筒１７および支持パイプ３の夫々の内側に挿通し、帽体４の上下に合わせて昇降移動する。３１はサーミスター用リード線３０の基部に設けたコネクタであり、コネクタ３１は支持パイプ３より露出するサーミスター用リード線３０の端部に設ける。
【００１２】
前記円筒１７内には円筒１７と帽体４を常時上動させるコイルバネ３２が収納され、コイルバネ３２の下端は鍔１０に当接し、コイルバネ３２の上端は帽体４に当接する。
３３は円筒１７の外側覆いであり、円筒１７より相当に大径であり、下部は円筒１７より稍小径に形成され、下方から圧入して取付けられる。外側覆い３３の下方には熱気の流通口３４が設けられ、熱気が上方に抜けて対流するように構成している。
【００１３】
しかして、前記支持パイプ３の所望位置には、サーミスター用リード線３０の移動を検出する検出装置Ｌを設ける。検出装置Ｌは、支持パイプ３内の所定位置またはサーミスター用リード線３０の何れか一方に接触式の感知スイッチ３７を設け、何れか他方には感知スイッチ３７に接離するように接触する当接部３８を設けて構成する。
【００１４】
即ち、炊事具２を外すと、帽体４が上動し、これによりサーミスター用リード線３０の感知スイッチ３７が移動して当接部３８に当接してオンになり、炊事具２が不存在を感知し、コンロに炊事具２を置くと帽体４が下動し、当接部３８から感知スイッチ３７が離れてオフになって炊事具２の存在を感知し、炊事具２の有無を感知することにより、バーナーの燃焼をコントロールする。例えば、感知スイッチ３７が炊事具２の不存在を感知し、所定時間経過すると、バーナーの炎を絞るまたは消火するようにすると、省エネ対策となる。
３９は感知スイッチ３７に接続したスイッチ用リード線であり、スイッチ用リード線３９により所定回路に感知スイッチ３７のオン・オフ信号を送出する。
【００１５】
しかして、図９は、前記検出装置Ｌの第２実施例であり、前記サーミスター用リード線３０の所望位置にはリードスイッチ４０を設け、リードスイッチ４０は磁界４１を通過するとき、この磁界４１の磁力を感知してオン・オフが切り替わるスイッチにより構成する。
リードスイッチ４０も感知スイッチ３７と同様に、帽体４が上動して炊事具２が不存在となると、リードスイッチ４０がオンして炊事具２の不存在を感知し、炊事具２をコンロに置いて帽体４が下動すると、リードスイッチ４０がオフになって炊事具２の存在を感知する。リードスイッチ４０により炊事具２の有無を感知することにより、バーナーの燃焼をコントロールする。
【００１６】
前記磁界４１は磁石４２を支持パイプ３の外周の所定位置に固定して発生させる。
この場合、磁石４２は、そのＳ極とＮ極がリードスイッチ４０の移動方向に対して交差方向の一方側に位置するようにすると、磁界４１が複雑に出現させなくて済み、リードスイッチ４０のオン・オフの設定を容易にする。
【００１７】
即ち、図１０のように、磁石４２をリードスイッチ４０の移動方向に対して交差方向の一方側に位置させると、リードスイッチ４０の移動方向に２か所磁界４１が出現し、このうちの一方の磁界４１の境界４３にリードスイッチ４０が位置するように、リードスイッチ４０と磁石４２を相対的に位置させる。このようにすると、炊事具２が存在するときは帽体４が下がり、リードスイッチ４０は磁界４１外に位置してオフ状態になり、炊事具２をコンロから外して帽体４が上がると、リードスイッチ４０は磁界４１内に位置してオン状態になる。
【００１８】
しかして、図１１は、温度検出装置１の他の実施例であり、前記支持パイプ３を、前記帽体４を取付けた縦筒部４５と、該縦筒部４５に続く横筒部４６により側面視Ｌ型形状に形成し、前記リードスイッチ４０（感知スイッチ３７）および磁石４２は横筒部４６に設ける。
即ち、リードスイッチ４０は縦筒部４５内に位置するサーミスター用リード線３０の外周に固定し、このリードスイッチ４０の位置する部分の縦筒部４５の外周面に磁石４２を固定する。
【００１９】
しかして、図１２〜図１５は、前記検出装置Ｌの第３実施例であり、前記支持パイプ３の外周に磁界４１を形成する磁石４２を設け、該支持パイプ３の所望位置に磁力を感知してオン・オフするリードスイッチ４０を設け、前記サーミスター用リード線３０の所定位置には前記磁石４２の磁力を遮断する遮蔽部材５０を設け、該遮蔽部材５０による磁力を遮断の有無でサーミスター用リード線３０の移動を検出するように構成する。
【００２０】
したがって、リードスイッチ４０は遮蔽部材５０が存在しないときには磁力を感知し、遮蔽部材５０が存在するときは磁力を感知しないように、支持パイプ３の所定位置に設け、また、遮蔽部材５０はリードスイッチ４０を確実にオン・オフさせるように構成する。
実施例では、リードスイッチ４０は取付部材５１に取付ける。取付部材５１は上下何れか一方側を断面「コ」字形状に屈曲させて凹部５２を形成し、該凹部５２に前記磁石４２を固定し、凹部５２の他方側には断面「Ｓ」字形状に屈曲させ、他方側に形成した他方側凹部５３にリードスイッチ４０を嵌合させ、中間の中間凹部５４に支持パイプ３を嵌合させて取付けている。
【００２１】
なお、リードスイッチ４０のオン・オフにより炊事具２の有無を感知することにより、バーナーの燃焼をコントロールできればよいので、炊事具２の有無の何れをオンまたはオフにするかは、制御ソフトを任意に変更すればよく、リードスイッチ４０および感知スイッチ３７は、前記実施例とは反対に、帽体４が上動して炊事具２が不存在となると、不使用時はオフ、使用時の炊事具２をコンロに置いて帽体４が下動すると、オンとなるように、構成すると、炊事具２の存在以外の断線等の原因による誤感知を防止でき、好適である。
【００２２】
即ち、リードスイッチ４０のオフにより炊事具２の「有」を検知するようにすると、不具合が原因のリードスイッチ４０のオフのときはバーナーの燃焼をコントロールできないので、これを防止したものである。
【００２３】
また、図１６の実施例では、リードスイッチ４０を保護ケース５５内に挿入し、該保護ケース５５を取付部材５１の他方側凹部５３に嵌合させ、支持パイプ３の外周に固定状態に取付けている。
【００２４】
（実施例の作用）
サーミスター５を取付けた帽体４は、円筒１７の上部に固定状態に取付け、円筒１７は固定部に固定状態に取付けた支持パイプ３に上下動自在に取付け、円筒１７はコイルバネ３２により常時上動するように付勢されているから、コンロに炊事具２を置いて調理中は多少炊事具２を上下させても、帽体４は炊事具２の上下に追随して上下して下面に密着する。
【００２５】
そして、帽体４のサーミスター５は、炊事具２の温度を検知して以上加熱されているときは自動消火したり、あるいは、所定の温度を保持するように加熱する等、サーミスター５からの信号により所定の制御を行う。
したがって、コンロから炊事具２を外すと帽体４は上動し、コンロに炊事具２を置くと帽体４は下動する。
【００２６】
しかして、前記帽体４の上下を検出するため、帽体４の上下に伴ってサーミスター用リード線３０が移動するので、このサーミスター用リード線３０の移動を検出する検出装置Ｌを温度検出装置１に設けたから、帽体４が上動して炊事具２の不存在を感知すると、バーナーの炎を絞るかまたは消火し、省エネ対策となる。
【００２７】
この場合、検出装置Ｌは支持パイプ３の所望位置とサーミスター用リード線３０の何れか一方に接触式の感知スイッチ３７を設け、何れか他方に当接部３８を設けて構成しているから、炊事具２をコンロから外すと、帽体４が上動し、帽体４の上動によりサーミスター用リード線３０が移動し、これにより、当接部３８に感知スイッチ３７が当接してオンになり、バーナーの炎を絞るまたは消火する等の所定の制御を行って、バーナーの燃焼をコントロールする。
【００２８】
即ち、特別に炊事具２を感知する装置を設けなくても、帽体４の上下動を、サーミスター用リード線３０の移動により検出することで、炊事具２の有無を検知でき、合理的な構成となる。
また、支持パイプ３内に感知スイッチ３７および当接部３８を設ければよいので、煮汁がサーミスター用リード線３０に付着して帽体４の上下動が悪くなるのを防止でき、また、熱から回避できて誤検知や誤作動を防止する。
【００２９】
しかして、図９の実施例では、サーミスター用リード線３０の所望位置に磁力を感知してオン・オフするリードスイッチ４０を設け、支持パイプ３の外周に磁界磁界４１を形成する磁石４２を設けているから、帽体４の上下に伴ってサーミスター用リード線３０が移動し、これによりリードスイッチ４０が磁界４１を通過すると、この磁界４１の磁力を感知してオン・オフするので、リードスイッチ４０により炊事具２の有無を感知でき、バーナーの燃焼をコントロールする。
【００３０】
リードスイッチ４０と磁石４２は非接触でオン・オフするので、誤作動が少なく、また、摩耗や劣化も少なく耐久性が向上する。
【００３１】
しかして、磁界４１は磁石磁石４２を支持パイプ３の外周の所定位置に固定して発生させるが、磁石４２は、そのＳ極とＮ極がリードスイッチ４０の移動方向に対して交差方向の一方側に位置させているから、図１０のように、リードスイッチ４０の移動方向に２か所の磁界４１が出現し、このうちの一方の磁界４１の境界境界４３にリードスイッチ４０が位置するように、リードスイッチ４０と磁石４２を相対的に位置させればよく、磁石４２の位置決めも容易であり、制御精度も向上する。
【００３２】
この場合、炊事具２をコンロに載せると、帽体４が下がり、リードスイッチ４０は磁界４１外に位置してオフ状態になり、炊事具２をコンロから外して帽体４が上がると、リードスイッチ４０は磁界４１内に位置してオン状態になる。
【００３３】
しかして、図１１の実施例では、支持パイプ３は、前記帽体４を取付けた縦筒部４５と、該縦筒部４５に続く横筒部４６により側面視Ｌ型形状に形成し、前記リードスイッチ４０および磁石４２は横筒部４６に設けているから、リードスイッチ４０および磁石４２は帽体４より離れ、煮こぼれや輻射熱からの回避距離を十分に確保でき、誤作動を防止し、耐久性を向上させる。
【００３４】
しかして、図１２〜図１５の実施例では、前記支持パイプ３の外周に磁界４１を形成する磁石４２を設け、該支持パイプ３の所望位置に磁力を感知してオン・オフするリードスイッチ４０を設け、前記サーミスター用リード線３０の所定位置には前記磁石４２の磁力を遮断する遮蔽部材５０を設け、該遮蔽部材５０による磁力を遮断の有無でサーミスター用リード線３０の移動を検出するように構成しているから、磁石４２の発生する磁界の形状・配置等に影響されずに、遮蔽部材５０による磁力の遮蔽の有無によりリードスイッチ４０をオン・オフさせることができ、制御精度を向上させる。
【００３５】
この場合、リードスイッチ４０は取付部材５１の他方側凹部５３に嵌合させ、他方側凹部５３は支持パイプ３を嵌合させればよいので、取付が頗る容易である。
【００３６】
また、取付部材５１は、複数の凹部を有するように屈曲形成し、そのうち凹部５２に磁石４２を嵌合固定させ、中間凹部５４を支持パイプ３に嵌合させて取付けるから、リードスイッチ４０と磁石４２は常時同じ位置関係にあり、取付部材５１ごとリードスイッチ４０と磁石４２をサーミスター用リード線３０に設けた遮蔽部材５０に対して支持パイプ３の軸心方向に移動されることで、初期設定を容易に行える。
【００３７】
この場合、リードスイッチ４０は、帽体４が上動して炊事具２が不存在となる不使用時はオフ、炊事具２の使用時のコンロに置いて帽体４が下動するとオンとなるように構成しているから、炊事具２の存在以外の断線等の原因による誤感知を防止でき、これによって、故障に起因するバーナーの燃焼の制御不能状態の発生を防止する。
【００３８】
また、図１６の実施例では、リードスイッチ４０を保護ケース５５内に挿入し、該保護ケース５５を取付部材５１の他方側凹部５３に嵌合させているから、リードスイッチ４０は保護ケース５５により保護されて、耐久性を向上させるだけでなく、誤感知も防止できる。
【図面の簡単な説明】
【００３９】
【図１】温度検出装置の縦断正面図。
【図２】支持パイプの加工前の正面図。
【図３】鍔の平面図。
【図４】同の断面図。
【図５】帽体の断面図。
【図６】円筒の縦断正面図。
【図７】本願の作動原理図。
【図８】帽体が鍋に当接した状態図。
【図９】検出装置の第２実施例図。
【図１０】リードスイッチと磁石の位置関係を示す説明図。
【図１１】検出装置の第３実施例図。
【図１２】検出装置の他の実施例図。
【図１３】遮蔽部材の斜視図。
【図１４】検出装置を支持パイプに設けた断面図。
【図１５】リードスイッチがオン状態（炊事具有り）の断面図。
【図１６】検出装置の他の実施例図。
【符号の説明】
【００４０】
１…温度検出装置、２…炊事具、３…支持パイプ、４…帽体、５…サーミスター、６…支持パイプ用平板、８…突起、１０…鍔、１１…溝、１２…当接部、１７…円筒、１８…小径部、１９…折曲部、２０…突条、２２…天板、２３…周縁部、２５…山高部、３０…サーミスター用リード線、３１…コネクタ、３２…コイルバネ、３３…外側覆い、３４…流通口、３７…感知スイッチ、３８…当接部、３９…スイッチ用リード線、４０…リードスイッチ、４１…磁界、４２…磁石、４３…境界、４５…縦筒部、４６…横筒部、５０…遮蔽部材、５１…取付部材、５２…凹部、５３…他方側凹部、５４…中間凹部、５５…保護ケース。
【図１】
2006034783.tif 000003
【図２】
2006034783.tif 000004
【図３】
2006034783.tif 000005
【図４】
2006034783.tif 000006
【図５】
2006034783.tif 000007
【図６】
2006034783.tif 000008
【図７】
2006034783.tif 000009
【図８】
2006034783.tif 000010
【図９】
2006034783.tif 000011
【図１０】
2006034783.tif 000012
【図１１】
2006034783.tif 000013
【図１２】
2006034783.tif 000014
【図１３】
2006034783.tif 000015
【図１４】
2006034783.tif 000016
【図１５】
2006034783.tif 000017
【図１６】
2006034783.tif 000018